(57)【要約】【課題】メディア対応のセンサに対する電力供給制御により電力消費を低減させることを可能とした構成を提供する。【解決手段】複数の記録メディアを備え、選択されたアクセスメデイアを利用したデータ記録または再生を実行する構成において、アクセス対象として選択されていない非選択メディアに対応して設定されたセンサ、例えば温度センサや加速度センサなどの各センサを無効化し、これらの無効化センサに対する電力の供給を停止または低減する。本構成により、センサによる電力消費が抑制され、例えばバッテリ駆動の撮像装置や情報処理装置の稼動時間をより長くすることが可能となる。【選択図】図７
2007184709.tif 000002
【特許請求の範囲】
【請求項１】
データ記録または再生可能な複数のメディアと、
前記メディアに対応して設定されたセンサと
前記センサの動作制御を実行する制御部とを有し、
前記制御部は、
前記メディアが、アクセス対象として選択された選択メディアであるか否かを判定し、アクセス対象として選択されていない非選択メディアである場合、該非選択メディアに対応するセンサに対する電力供給の停止または削減を伴うセンサ無効化処理を実行する構成を有することを特徴とする情報処理装置。
【請求項２】
前記制御部は、
前記センサ無効化処理に際して、無効化したセンサの情報を記憶部に記録する処理を実行する構成であることを特徴とする請求項１に記載の情報処理装置。
【請求項３】
前記制御部は、
前記センサ無効化処理に際して、無効化したセンサの有効化処理に適用する情報を記憶部に記録する処理を実行する構成であることを特徴とする請求項１に記載の情報処理装置。
【請求項４】
前記制御部は、
前記メディアがアクセス対象として選択された場合、選択メディア対応のセンサの有効化処理を実行する構成であることを特徴とする請求項１に記載の情報処理装置。
【請求項５】
前記制御部は、
前記選択メディア対応のセンサの有効化処理に際して、記憶部から無効化センサの種別情報を取得し、該種別情報に基づいて無効化センサの有効化処理を実行する構成であることを特徴とする請求項４に記載の情報処理装置。
【請求項６】
前記制御部は、
前記選択メディア対応のセンサの有効化処理に際して、記憶部から無効化センサの有効化処理に適用するプログラムまたはプログラム指定情報を取得し、該取得情報に基づいて無効化センサの有効化処理を実行する構成であることを特徴とする請求項４に記載の情報処理装置。
【請求項７】
前記センサは、
温度センサ、湿度センサ、加速度センサ、衝撃センサ、気圧センサの少なくともいずれかを含む構成であることを特徴とする請求項１から請求項６のいずれかに記載の情報処理装置。
【請求項８】
撮像部と、
前記撮像部において取得されたデータを記録可能な複数のメディアと、
前記メディアに対応して設定されたセンサと
前記センサの動作制御を実行する制御部とを有し、
前記制御部は、
前記メディアが、アクセス対象として選択された選択メディアであるか否かを判定し、アクセス対象として選択されていない非選択メディアである場合、該非選択メディアに対応するセンサに対する電力供給の停止または削減を伴うセンサ無効化処理を実行する構成を有することを特徴とする情報処理装置。
【請求項９】
データ記録または再生可能な複数のメディアからアクセス先として選択された選択メディアのアクセス情報を入力するアクセス情報入力ステップと、
アクセス対象として選択されていない非選択メディアに対応するセンサに対する電力供給の停止または削減を伴うセンサ無効化処理を実行するセンサ無効化処理ステップと、
を有することを特徴とする情報処理方法。
【請求項１０】
前記情報処理方法は、さらに、
前記センサ無効化処理に際して、無効化したセンサの情報を記憶部に記録する処理を実行するステップを有することを特徴とする請求項９に記載の情報処理方法。
【請求項１１】
前記情報処理方法は、さらに、
前記センサ無効化処理に際して、無効化したセンサの有効化処理に適用する情報を記憶部に記録する処理を実行するステップを有することを特徴とする請求項９に記載の情報処理方法。
【請求項１２】
前記情報処理方法は、さらに、
前記メディアがアクセス対象として選択された場合、選択メディア対応のセンサの有効化処理を実行するステップを有することを特徴とする請求項９に記載の情報処理方法。
【請求項１３】
前記情報処理方法は、さらに、
前記選択メディア対応のセンサの有効化処理に際して、記憶部から無効化センサの種別情報を取得し、該種別情報に基づいて無効化センサの有効化処理を実行することを特徴とする請求項１２に記載の情報処理方法。
【請求項１４】
前記情報処理方法は、さらに、
前記選択メディア対応のセンサの有効化処理に際して、記憶部から無効化センサの有効化処理に適用するプログラムまたはプログラム指定情報を取得し、該取得情報に基づいて無効化センサの有効化処理を実行することを特徴とする請求項１２に記載の情報処理方法。
【請求項１５】
前記センサは、
温度センサ、湿度センサ、加速度センサ、衝撃センサ、気圧センサの少なくともいずれかを含む構成であることを特徴とする請求項９から請求項１４のいずれかに記載の情報処理方法。
【請求項１６】
情報処理装置においてデータ記録メディアに対応するセンサの制御を実行させるコンピュータ・プログラムであり、
データ記録または再生可能な複数のメディアからアクセス先として選択された選択メディアのアクセス情報を入力するアクセス情報入力ステップと、
アクセス対象として選択されていない非選択メディアに対応するセンサに対する電力供給の停止または削減を伴うセンサ無効化処理を実行するセンサ無効化処理ステップと、
を実行させることを特徴とするコンピュータ・プログラム。
【発明の詳細な説明】
【技術分野】
【０００１】
本発明は、情報処理装置、撮像装置、および情報処理方法、並びにコンピュータ・プログラムに関する。さらに詳細には、複数の記録メディアを備え、選択されたメディアに対するデータ記録が可能な構成を有し、記録メディアに対応するセンサ、例えば温度センサや加速度センサ（Ｇセンサ）などを備えた構成を有する情報処理装置、撮像装置、および情報処理方法、並びにコンピュータ・プログラムに関する。
【背景技術】
【０００２】
例えばデジタルビデオカメラやその他の情報処理機器において、データ記録メディアとしては、ハードディスク、ＤＶＤ、フラッシュメモリなど、様々なメディアが適用可能である。また、ハードディスクと、フラッシュメモリなど、複数の異なるメディアに対して選択的にデータ記録を行なうことを可能とした撮像装置などの情報処理装置がある。
【０００３】
また、携帯型の情報処理装置や撮像装置にハードディスクドライブ（ＨＤＤ）を搭載する場合、一般的に加速度センサ（Ｇセンサ）が備えられる。これは、例えば、装置の落下時に、ＨＤＤのヘッドを緊急退避させてヘッドやＨＤＤの損傷を防止するためである。また、ＨＤＤに限らず、各記録メディアが良好なデータ記録や再生を実行できる環境であるか否かを検出するためのセンサ、例えば温度センサ、湿度センサ、衝撃センサなどの各種センサを設けた装置も多い。
【０００４】
このような装置構成とすることで、例えばある記録メディアの近傍に設けた温度センサや湿度センサが、その記録メディアの許容する温度範囲や湿度範囲を超えた場合に、アラームを出力し、ユーザに警告するなどの処理が可能となる。
【０００５】
しかし、このように記録メディア対応のセンサを設けた装置では、センサに供給する電力が必要となる。一般に携帯型の撮像装置やＰＣなどの情報処理装置では、電力供給源として電池（バッテリ）が利用され、消費電力が大きくなると稼動時間が短くなるという問題が発生する。
【０００６】
センサに対する電力供給制御を開示した従来技術として、例えば特許文献１がある。特許文献１は、様々なセンサを備えた監視システムにおいて、各センサからの入力状況を検出し、ユーザの判断に基づいて入力されるユーザ入力情報を適用して各センサに対する供給電力の制御を行う構成を開示している。しかし、この特許文献１に記載の構成は、ユーザの判断や入力を必要とする構成であり、ユーザの入力がない限り、電力制御は行なわれないという問題がある。
【特許文献１】特開２００５−６５１４８号公報
【発明の開示】
【発明が解決しようとする課題】
【０００７】
本発明は、上述の問題点に鑑みてなされたものであり、複数の記録メディアを備え、選択されたメディアを適用したデータ記録や再生を可能とした構成において、選択されたメディア以外のメディアに対応するセンサに対する電力供給を停止または削減する制御を行なうことで、消費電力の低減を実現する情報処理装置、撮像装置、および情報処理方法、並びにコンピュータ・プログラムを提供することを目的とする。
【課題を解決するための手段】
【０００８】
本発明の第１の側面は、
データ記録または再生可能な複数のメディアと、
前記メディアに対応して設定されたセンサと
前記センサの動作制御を実行する制御部とを有し、
前記制御部は、
前記メディアが、アクセス対象として選択された選択メディアであるか否かを判定し、アクセス対象として選択されていない非選択メディアである場合、該非選択メディアに対応するセンサに対する電力供給の停止または削減を伴うセンサ無効化処理を実行する構成を有することを特徴とする情報処理装置にある。
【０００９】
さらに、本発明の情報処理装置の一実施態様において、前記制御部は、前記センサ無効化処理に際して、無効化したセンサの情報を記憶部に記録する処理を実行する構成であることを特徴とする。
【００１０】
さらに、本発明の情報処理装置の一実施態様において、前記制御部は、前記センサ無効化処理に際して、無効化したセンサの有効化処理に適用する情報を記憶部に記録する処理を実行する構成であることを特徴とする。
【００１１】
さらに、本発明の情報処理装置の一実施態様において、前記制御部は、前記メディアがアクセス対象として選択された場合、選択メディア対応のセンサの有効化処理を実行する構成であることを特徴とする。
【００１２】
さらに、本発明の情報処理装置の一実施態様において、前記制御部は、前記選択メディア対応のセンサの有効化処理に際して、記憶部から無効化センサの種別情報を取得し、該種別情報に基づいて無効化センサの有効化処理を実行する構成であることを特徴とする。
【００１３】
さらに、本発明の情報処理装置の一実施態様において、前記制御部は、前記選択メディア対応のセンサの有効化処理に際して、記憶部から無効化センサの有効化処理に適用するプログラムまたはプログラム指定情報を取得し、該取得情報に基づいて無効化センサの有効化処理を実行する構成であることを特徴とする。
【００１４】
さらに、本発明の情報処理装置の一実施態様において、前記センサは、温度センサ、湿度センサ、加速度センサ、衝撃センサ、気圧センサの少なくともいずれかを含む構成であることを特徴とする。
【００１５】
さらに、本発明の第２の側面は、
撮像部と、
前記撮像部において取得されたデータを記録可能な複数のメディアと、
前記メディアに対応して設定されたセンサと
前記センサの動作制御を実行する制御部とを有し、
前記制御部は、
前記メディアが、アクセス対象として選択された選択メディアであるか否かを判定し、アクセス対象として選択されていない非選択メディアである場合、該非選択メディアに対応するセンサに対する電力供給の停止または削減を伴うセンサ無効化処理を実行する構成を有することを特徴とする情報処理装置にある。
【００１６】
さらに、本発明の第３の側面は、
データ記録または再生可能な複数のメディアからアクセス先として選択された選択メディアのアクセス情報を入力するアクセス情報入力ステップと、
アクセス対象として選択されていない非選択メディアに対応するセンサに対する電力供給の停止または削減を伴うセンサ無効化処理を実行するセンサ無効化処理ステップと、
を有することを特徴とする情報処理方法にある。
【００１７】
さらに、本発明の情報処理方法の一実施態様において、前記情報処理方法は、さらに、前記センサ無効化処理に際して、無効化したセンサの情報を記憶部に記録する処理を実行するステップを有することを特徴とする。
【００１８】
さらに、本発明の情報処理方法の一実施態様において、前記情報処理方法は、さらに、前記センサ無効化処理に際して、無効化したセンサの有効化処理に適用する情報を記憶部に記録する処理を実行するステップを有することを特徴とする。
【００１９】
さらに、本発明の情報処理方法の一実施態様において、前記情報処理方法は、さらに、前記メディアがアクセス対象として選択された場合、選択メディア対応のセンサの有効化処理を実行するステップを有することを特徴とする。
【００２０】
さらに、本発明の情報処理方法の一実施態様において、前記情報処理方法は、さらに、前記選択メディア対応のセンサの有効化処理に際して、記憶部から無効化センサの種別情報を取得し、該種別情報に基づいて無効化センサの有効化処理を実行することを特徴とする。
【００２１】
さらに、本発明の情報処理方法の一実施態様において、前記情報処理方法は、さらに、前記選択メディア対応のセンサの有効化処理に際して、記憶部から無効化センサの有効化処理に適用するプログラムまたはプログラム指定情報を取得し、該取得情報に基づいて無効化センサの有効化処理を実行することを特徴とする。
【００２２】
さらに、本発明の情報処理方法の一実施態様において、前記センサは、温度センサ、湿度センサ、加速度センサ、衝撃センサ、気圧センサの少なくともいずれかを含む構成であることを特徴とする。
【００２３】
さらに、本発明の第４の側面は、
情報処理装置においてデータ記録メディアに対応するセンサの制御を実行させるコンピュータ・プログラムであり、
データ記録または再生可能な複数のメディアからアクセス先として選択された選択メディアのアクセス情報を入力するアクセス情報入力ステップと、
アクセス対象として選択されていない非選択メディアに対応するセンサに対する電力供給の停止または削減を伴うセンサ無効化処理を実行するセンサ無効化処理ステップと、
を実行させることを特徴とするコンピュータ・プログラムにある。
【００２４】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２５】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２６】
本発明の一実施例構成によれば、複数の記録メディアを備え、選択されたアクセスメデイアを利用したデータ記録または再生を実行する構成において、アクセス対象として選択されていない非選択メディアに対応して設定されたセンサ、例えば温度センサや加速度センサなどの各センサを無効化し、これらの無効化センサに対する電力の供給を停止または低減する構成としたので、センサによる電力消費が抑制され、例えばバッテリ駆動の撮像装置や情報処理装置の稼動時間をより長くすることが可能となる。
【発明を実施するための最良の形態】
【００２７】
以下、図面を参照しながら、本発明の情報処理装置、撮像装置、および情報処理方法、並びにコンピュータ・プログラムの詳細について説明する。本発明は、複数の記録メディアを選択的に適用可能で、少なくともその１つの記録メディアに対応して設定されたセンサ、例えば加速度センサ（Ｇセンサ）、温度センサ、湿度センサ、衝撃センサなどのセンサを有する様々な装置において適用可能である。
【００２８】
以下、本発明に係る情報処理装置の１つの実施例として、データ記録メディアとしてハードディスクと、フラッシュメモリを備え、これらのメディアを選択的に利用可能とした撮像装置の構成および処理について説明する。
【００２９】
図１に、本発明の撮像装置の主要構成を説明するブロック図を示す。なお、図１は、本発明の実施例を説明するために必要となる主要構成を示すブロック図であり、詳細な装置構成については、後段で説明する。撮像装置は、図１に示すように、撮像部１０１と、音声入力部１０２、信号処理部１０３、制御部１０４、操作部１０５を有し、記録メディアとしてハードディスク１１１、フラッシュメモリ１１２とを有する。
【００３０】
ハードディスク１１１には、ハードディスク１１１に対応するセンサＡ１２１、センサＢ１２２、センサＣ１２３が備え付けられ、フラッシュメモリ１１２には、フラッシュメモリ１１２に対応するセンサＤ１３１が備え付けられている。これらのセンサ駆動には図示しない電源（バッテリ）からの電力供給が必要となる。
【００３１】
撮像部１０１は、光学系、撮像素子等からなり画像データを撮影する。音声入力部１０２は、マイクを有し、音声情報を取得する。信号処理部１０３は、撮像部１０１において取得された画像信号、および音声入力部１０２において取得された音声信号を記録メディアに対して記録するデータ態様に変換、例えば圧縮処理、フォーマット生成処理などを実行する。制御部１０４は、データの記録制御、記録メディアの動作制御などの装置において実行される処理の制御を行なう。
【００３２】
操作部１０５は、ユーザによって操作されるボタン、スイッチ等からなり、撮影の開始、停止、さらに、記録メディアの選択情報などを入力する。フラッシュメモリ１１１と、ハードディスク（ＨＤＤ）１１２は、記録メディアであり、撮像部１０１において取得された画像信号、および音声入力部１０２において取得された音声信号が記録される。
【００３３】
記録メディアの１つとして利用されるハードディスク１１１には、ハードディスク１１１に対応するセンサＡ１２１、センサＢ１２２、センサＣ１２３は、例えば、加速度センサ（Ｇセンサ）、温度センサ、湿度センサ、衝撃センサ、気圧（高度）センサなどのセンサである。フラッシュメモリ１１２にも、フラッシュメモリ１１２に対応するセンサＤ１３１、例えば温度センサが備え付けられている。
【００３４】
これらの各センサを駆動させるためには、電源（バッテリ）からの電力供給が必要となる。本発明の情報処理装置では、制御部１０４の制御の下、アクセス先（データ記録または再生対象）として選択された記録メディア以外のメディア対応のセンサに対する電力供給を停止または削減することで、装置全体としての電力消費を低減させる構成を持つ。図２以下を参照して本発明の情報処理装置における制御処理の詳細について説明する。
【００３５】
図２は、アクセス先（記録先の場合もあれば、再生元の場合もあり得る）として選択されなかったメディアに対応するセンサを無効化、すなわち電力供給を停止または削減する処理手順を説明するフローチャートである。図２に示すフローでは、非選択メディアがＨＤＤであった場合を例として説明している。すなわち、ＨＤＤが選択されなかった場合に、ＨＤＤに対応するセンサを無効化する処理である。
【００３６】
図２のフローを参照して、ハードディスク（ＨＤＤ）がアクセス先として選択されなかった場合の処理シーケンスについて説明する。この処理は、図１に示す装置では制御部１０４の制御によって実行される。まず、ステップＳ１０１において、アクセス先（記録先、または再生元）情報が入力される。この情報は、例えば操作部１０５からのユーザ入力、あるいは着脱可能なフラッシュメモリの着脱処理など、各種メディアの着脱や起動処理に伴って自動的に記録メディアの決定処理を実行するプログラム制御などによって決定される情報などである。
【００３７】
制御部は、ステップＳ１０２において、ＨＤＤがアクセス先として選択されたか否かを判定し、ＨＤＤがアクセス先として選択されていないと判定されると、ステップＳ１０３に進み、ＨＤＤに対応するセンサを無効化する処理を実行する。
【００３８】
ステップＳ１０３のＨＤＤ対応センサの無効化処理の詳細シーケンスについて、図３に示すフローチャートを参照して説明する。制御部は、まず、ステップＳ２０１において、ＨＤＤに対応するセンサをセンサリストに基づいて判定する。装置のメモリには、装置の保有するメディア対応のセンサに関するリスト、すなわちセンサリストが保持されている。センサリストの例を図４（Ａ）に示す。
【００３９】
図４（Ａ）は、記録メディアとして４つの記録メディア１〜４を有する例を示している。これらの各メディアに対応するセンサとして、７つのセンサ、すなわち、
１．温度センサ〜７．気圧（高度）センサ
が備えられている。これらのセンサ中には、１つのメデイア専用のセンサや、複数のメディアに共通に利用されているセンサが含まれる。例えば５．加速度センサは、ＨＤＤ専用のセンサとして設定されている。また、４．湿度センサ２は、コンパクトフラッシュ（登録商標）と、メモリースティック（登録商標）に共通に利用されているセンサである。
【００４０】
ステップＳ２０１では、例えば図４（Ａ）に示すセンサリストに基づいて、ハードディスクドライブに対応するセンサを判別し、ステップＳ２０２において、リストのエントリ毎にセンサの無効化処理を、順次、実行する。ステップＳ２０３において、センサリストに未処理エントリが無くなったと判定されるまで、順次、センサの無効化処理を実行する。この例の場合、ＨＤＤ対応のセンサは、図４（Ａ）に示すように、温度センサ１、湿度センサ２、加速度センサ、衝撃センサ、気圧（高度）センサであるので、これらのセンサの無効化処理を順次、実行する。この無効化処理によって、これらのセンサに対する電力供給は停止または削減される。なお、無効化したセンサについてのセンサ情報は、センサ状況リストに登録する。例えば図４（Ｂ）に示すセンサ状況リストである。
【００４１】
図４（Ｂ）に示すように、センサ状況リストには、各記録メディアに対応する無効化されたセンサの識別子が記録される。センサの有効化処理に際しては、センサリストまたはセンサ状況リストを参照して各センサの有効化処理、すなわち電力供給処理が実行される。
【００４２】
なお、図２、図３に示すフローでは、ＨＤＤがアクセス先として選択されなかった場合のセンサ無効化処理について説明したが、その他の記録メディア、例えばフラッシュメモリがアクセス先として選択されなかった場合には、そのフラッシュメモリ対応のセンサの無効化処理が実行される。
【００４３】
なお、図４（Ａ）に示すように、複数のメディアに対して共通に利用されているセンサがあり、このようなセンサの無効化は、そのセンサを共通に利用している複数のメディアが共にアクセス先として指定されていないことの確認に基づいて無効化処理がなされることになる。
【００４４】
次に、図５、図６に示すフローチャートを参照して、非アクセス状態にあるメディアがアクセス先として選択された場合に実行される選択メディア対応のセンサ有効化処理の処理シーケンスについて説明する。図５、図６では、ＨＤＤがアクセス先として選択された場合の処理例について説明する。なお、この処理も、図１に示す装置では制御部１０４の制御によって実行される。まず、図５に示すフローチャートのステップＳ３０１において、アクセス先（記録先、または再生元）情報が入力される。この情報は、例えば操作部１０５からのユーザ入力、あるいは着脱可能なフラッシュメモリの着脱処理など、各種メディアの着脱や起動処理に伴って自動的に記録メディアの決定処理を実行するプログラム制御などによって決定される情報などである。
【００４５】
制御部は、ステップＳ３０２において、ＨＤＤがアクセス先として選択されたか否かを判定し、ＨＤＤがアクセス先として選択されたと判定されると、ステップＳ３０３に進み、ＨＤＤに対応するセンサを有効化する処理、すなわちセンサ稼動に必要な電力供給を開始する処理などを実行する。
【００４６】
ステップＳ３０３のＨＤＤ対応のセンサ有効化処理の詳細シーケンスについて、図６に示すフローチャートを参照して説明する。制御部は、まず、ステップＳ４０１において、メモリに保持されたセンサリスト、あるいはセンサ状況リストに基づいて、有効化すべきメディア対応のセンサ情報を取得する。これは、先に図４を参照して説明したセンサリストまたはセンサ状況リストから取得される。
【００４７】
制御部は、ステップＳ４０２において、メモリから取得した情報に従い、ＨＤＤ対応のセンサを、リストのエントリに従って、順次、有効化する処理を実行する。ステップＳ４０３において、センサリストに未処理エントリが無くなったと判定されるまで、順次、センサの有効化処理を実行する。この例の場合、ＨＤＤ対応のセンサは、図４（Ａ）に示すように、温度センサ１、湿度センサ２、加速度センサ、衝撃センサ、気圧（高度）センサであるので、これらのセンサの有効化処理を順次、実行する。この有効化処理によって、これらのセンサに対してセンサ稼動に必要な電力供給が開始され、センサの検出情報が制御部に入力されることになる。
【００４８】
次に、図７以下を参照して、複数のデータ記録メディアを利用可能な情報処理装置において、各記録メディアの状態情報などを記録したメディアリストをメモリに保持し、メディアリストを適用して効率的に各メディア対応のセンサ無効化処理および有効化処理を実行する処理構成について説明する。
【００４９】
まず、図７に示すフローチャートを参照して、アクセス先（記録先の場合もあれば、再生元の場合もあり得る）として選択されなかったメディアに対応するセンサを無効化、すなわち電力供給を停止または削減する処理シーケンスについて説明する。この処理も、図１に示す装置では制御部１０４の制御によって実行される。まず、ステップＳ５０１において、アクセス先（記録先、または再生元）情報が入力される。この情報は、例えば操作部１０５からのユーザ入力、各種メディアの着脱や起動処理に伴って自動的に記録メディアの決定処理を実行するプログラム制御などによって決定される情報などである。
【００５０】
制御部は、ステップＳ５０２において、アクセス可能なメディアのリストを作成、またはメモリから取得する。これは、図８に示すメディアリストである。図８に示すメディアリストは、各記録メディア対応のエントリとして、メディア番号、メディア種別、無効化センサ識別子、センサ有効化処理情報、センサ無効化処理情報を対応付けたリストである。無効化センサ識別子は、各メディア対応のセンサの識別情報であり、センサ有効化処理情報は、センサの有効化に適用する情報、例えば、センサ有効化処理に際して実行するプログラムや適用パラメータ、利用レジスタなどの情報、あるいはこれらの情報のアクセスに適用する情報などによって構成される。センサ無効化処理情報は、センサを無効化するために必要な情報、例えば、実行プログラムや適用パラメータ、利用レジスタなどの情報、あるいはこれらの情報のアクセスに適用する情報などによって構成される。
【００５１】
図７に示すフローチャートの説明を続ける。ステップＳ５０３において、制御部は、メディアリストの各エントリを順次取得し、ステップＳ５０４において、アクセス先として選択された選択メディアに対応するエントリであるか否かを判定する。選択メディア対応のエントリであると判定されると、ステップＳ５０５に進み、全てのメディアリストのエントリチェックが終了したか否かを判定し、未処理のエントリがある場合は、ステップＳ５０３に戻り、未処理エントリについての処理を実行する。
【００５２】
ステップＳ５０４において、アクセス先として選択された選択メディア対応のエントリでないと判定されると、ステップＳ５１１に進み、アクセス先として選択されていない非選択メディア対応のセンサの無効化処理を実行し、ステップＳ５１２において、無効化したセンサ情報などをメディアリストに書き込む。すなわち、無効化センサ識別子、センサ有効化処理情報、センサ無効化処理情報など、必要となる情報をメディアリストに書き込む処理を実行する。その後、ステップＳ５０５において、全てのメディアリストのエントリチェックが終了するまで、同様の処理を繰り返し実行する。
【００５３】
この処理によって、情報処理装置において利用可能なメディアに対応するセンサの状態、および、有効化処理、無効化処理に必要な情報が更新され、メモリに保存される。各メディアを待機状態からアクセス可能状態へ復帰させてセンサを有効化する場合は、このメディアリストを利用した処理が実行される。図９に示すフローチャートを参照してメディア対応のセンサの有効化処理シーケンスについて説明する。この処理も、図１に示す装置では制御部１０４の制御によって実行される。
【００５４】
まず、ステップＳ６０１において、アクセス先（記録先、または再生元）情報が入力される。この情報は、例えば操作部１０５からのユーザ入力、各種メディアの着脱や起動処理に伴って自動的に記録メディアの決定処理を実行するプログラム制御などによって決定される情報などである。
【００５５】
制御部は、ステップＳ６０２において、アクセス可能なメディアのリストを作成、またはメモリから取得する。これは、図８に示すメディアリストである。図８に示すようにメディアリストは、各メディアに対応するメディア番号、メディア種別、無効化センサ識別子、センサ有効化処理情報、センサ無効化処理情報を対応付けたリストである。
【００５６】
ステップＳ６０３において、制御部は、メディアリストの各エントリを順次取得し、ステップＳ６０４において、待機状態からアクセス状態への移行処理を実行するメディアとして選択されたメディアに対応するエントリであるか否かを判定する。選択メディア対応のエントリでないと判定されると、ステップＳ６０５に進み、全てのメディアリストのエントリチェックが終了したか否かを判定し、未処理のエントリがある場合は、ステップＳ６０３に戻り、未処理エントリについての処理を実行する。
【００５７】
ステップＳ６０４において、選択メディア対応のエントリであると判定されると、ステップＳ６１１に進み、メディアリストの該等エントリに設定された情報を取得し、ステップＳ６１２において、選択メディア対応のセンサの有効化処理を実行する。その後、ステップＳ６０５に進み、全てのメディアリストのエントリチェックが終了するまで、同様の処理を繰り返し実行する。
【００５８】
なお、ステップＳ６１２において実行する処理、すなわち、メディア対応センサの有効化処理に札医師必要となる情報、例えばプログラム、パラメータ、レジスタ情報などは、図８を参照して説明したメディアリストから取得される。制御部は、メモリに格納されたメディアリストのセンサ有効化処理情報に基づいてセンサ有効化処理に際して実行すべきプログラムを決定してそのプログラムを実行する。
【００５９】
次に、上述した処理を実行する情報処理装置のシステム構成について説明する。上述した情報記録媒体に対するデータ記録および情報記録媒体からのデータ取得、再生処理は、例えばデジタルビデオカメラ、ＰＣなどの情報処理装置のＣＰＵによる所定のデータ処理プログラムの実行によって行なわれる。
【００６０】
すなわち、図１０に示すように、ハードディスク等の情報記録媒体２０４に対してデータを記録したり、記録媒体に記録されているデータを読み出して利用したりする場合には、ユーザとの窓口となるアプリケーションプログラム２０１の下層に情報記録媒体２０４上のファイルを管理するためのファイルシステム（ファイル管理プログラム）２０２とファイルシステムからの情報に基づいて情報記録媒体２０４を制御するデバイスドライバ２０３とが存在する。
【００６１】
情報記録媒体２０４に対してデータを記録、または情報記録媒体２０４からデータを再生する場合には、ファイルシステム２０２、デバイスドライバ２０３の機能によりデータの書き込み、再生が実行される。従来と同様の処理によって、ファイルシステム⇔デバイスドライバ⇔記録媒体（ハードディスク）といった構成で処理は行なわれる。
【００６２】
次に、上述した処理を実行する情報処理装置の構成例として、撮像装置としてのデジタルビデオカメラと、ＰＣの装置構成例について、図１１、図１２を参照して説明する。
【００６３】
まず、図１１を参照してデジタルビデオカメラの構成例について説明する。デジタルビデオカメラは、画像および音声情報を取得し、画像データおよび音声データをドライブ４３２を介して磁気ディスク、光ディスク、光磁気ディスク、半導体メモリ等の各種情報記録媒体に記録する。データを記録するメディアは選択可能な構成を持つ。
【００６４】
メディアに対するデータ記録処理には、動画を撮像すると共に、これと同時に収音するようにした音声とを記録媒体に記録する動画撮像モードと、静止画を撮像する静止画撮像モードとがある。また、再生モード時においては、記録ボタンスイッチなどによって構成される操作入力部４２０を操作することにより供給されるデータの記録が行われるようにされ、再生ボタンスイッチを操作することにより記録媒体に記録されている目的とするデータを再生することができる。
【００６５】
図１１に示すように、デジタルビデオカメラは、光学レンズ部４１１、光電変換部４１２、カメラ機能制御部４０２、画像信号処理部４１３、画像入出力部４１４、液晶ディスプレイ４１５、音声入出力部４１６、音声信号処理部４１７、通信部４３１、制御部（ＣＰＵ）４０１、内蔵メモリ（ＲＡＭ）４１８、内蔵メモリ（ＲＯＭ）４１９、操作入力部４２０、情報記録媒体に対するドライブ４３２、さらに、各構成部に対する電力供給を行なう電源４４１を備え、さらに、各記録メディアに対応するセンサ、例えば、温度センサ４５１、湿度センサ４５２、加速度センサ４５３、衝撃センサ４５４、気圧（高度）センサ４５５を備えたものである。
【００６６】
制御部（ＣＰＵ）４０１は、ＲＯＭ４１９に格納された各種の処理プログラムに従って処理を実行する。ＲＡＭ４１８は、各処理において途中結果を一時記憶するなど、主に作業領域として用いられる。
【００６７】
操作入力部４０１は、動画撮影モード、静止画撮影モード、ＶＴＲモードなどの動作モードを切り換えるモード切り換えキー、静止画の撮影のためのシャッターキー、動画を撮影するための撮影開始キー、録画キー、再生キー、停止キー、早送りキー、早戻しキーなどの種々の操作キーや機能キーなどを備え、ユーザからの操作入力を受け付けて、受け付けた操作入力に応じた電気信号を制御部（ＣＰＵ）４０１に供給する。
【００６８】
制御部（ＣＰＵ）４０１は、ユーザからの操作入力に応じて、目的とする処理を行うためのプログラムをＲＯＭ４１９から読み出して実行し、各部を制御することによって、ユーザからの指示に応じた処理の制御を行う。デジタルビデオカメラは、情報記録媒体として、磁気ディスク、光ディスク、光磁気ディスク、半導体メモリ等の各種情報記録媒体を装着可能であり、これらの情報記録媒体にドライブ４３２を介して各種の情報を記録し、また、これらの情報記録媒体に記録された情報を再生する。
【００６９】
制御部としてのＣＰＵ４０１は、アクセス先として選択されていないメディア対応のセンサの無効化処理を実行し、この処理によって、消費電力が低減される。
【００７０】
次に、図１２を参照して、上述した処理を実行する情報処理装置の一例としてのＰＣのハードウェア構成例について説明する。ＣＰＵ（Central Processing Unit）５０１は、ＯＳ（Operating System)に対応する処理や、上述の実施例において説明した異なるファイルを利用したデータ記録、あるいはデータ再生処理などを実行するデータ処理部として機能する。これらの処理は、情報処理装置のＲＯＭ、ハードディスクなどのデータ記憶部に格納されたコンピュータ・プログラムに従って実行される。
【００７１】
ＲＯＭ（Read Only Memory）５０２は、ＣＰＵ５０１が使用するプログラムや演算パラメータ等を格納する。ＲＡＭ（Random Access Memory）５０３は、ＣＰＵ５０１の実行において使用するプログラムや、その実行において適宜変化するパラメータ等を格納する。これらはＣＰＵバスなどから構成されるホストバス５０４により相互に接続されている。
【００７２】
ホストバス５０４は、ブリッジ５０５を介して、ＰＣＩ(Peripheral Component Interconnect/Interface)バスなどの外部バス５０６に接続されている。
【００７３】
キーボード５０８、ポインティングデバイス５０９は、ユーザにより操作される入力デバイスである。ディスプレイ５１０は、液晶表示装置またはＣＲＴ（Cathode Ray Tube）などから成り、各種情報をテキストやイメージで表示する。
【００７４】
ＨＤＤ（Hard Disk Drive）５３１およびフラッシュメモリ５３２は、選択適用可能な記録メディアであり、制御部としてのＣＰＵ５０１によって制御され、画像、音声等のテータ、その他のプログラムや情報を記録または再生させる。これらのメディアには、各メディア対応のセンサ５４１，５４２が備えられており、制御部としてのＣＰＵ５０１は、前述した処理に従って、非アクセス先のメディア対応の無効化処理を実行する。
【００７５】
接続ポート５１４は、外部接続機器５２２を接続するポートであり、ＵＳＢ，ＩＥＥＥ１３９４等の接続部を持つ。接続ポート５１４は、インタフェース５０７、および外部バス５０６、ブリッジ５０５、ホストバス５０４等を介してＣＰＵ５０１等に接続されている。通信部５１５は、ネットワークに接続され、その他の情報処理装置との通信を実行する。
【００７６】
なお、図１１、図１２に示す情報処理装置の構成例は、装置の一例であり、情報処理装置は、図１１、図１２に示す構成に限らず、上述した実施例において説明した処理を実行可能な構成であればよい。
【００７７】
また、上述の実施例では、メカニカルな動作を必要とする記録メディア、すなわちメカニカル動作実行メディアの例として、ハードディスクを代表して説明したが、その他の記録メディア、例えばＤＶＤなどのディスク型メディアなど、ピックアップのシーク動作やディスクの回転などのメカニカルノイズの発生可能性のあるメディアについても、上述の実施例において説明したと同様の処理が適用可能であり、本発明の適用によって、記録データの品質向上が実現可能である。
【００７８】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００７９】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００８０】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００８１】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００８２】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００８３】
以上、説明したように、本発明の一実施例構成によれば、複数の記録メディアを備え、選択されたアクセスメデイアを利用したデータ記録または再生を実行する構成において、アクセス対象として選択されていない非選択メディアに対応して設定されたセンサ、例えば温度センサや加速度センサなどの各センサを無効化し、これらの無効化センサに対する電力の供給を停止または低減する構成としたので、センサによる電力消費が抑制され、例えばバッテリ駆動の撮像装置や情報処理装置の稼動時間をより長くすることが可能となる。
【図面の簡単な説明】
【００８４】
【図１】本発明の情報処理装置の一実施例としての撮像装置の主要部構成を示す図である。
【図２】本発明の情報処理装置の一実施例としての撮像装置において実行される記録メディア対応センサの無効化処理シーケンスについて説明するフローチャートを示す図である。
【図３】本発明の情報処理装置の一実施例としての撮像装置において実行される記録メディア対応センサの無効化処理シーケンスについて説明するフローチャートを示す図である。
【図４】記録メディア対応センサのセンサリスト、センサ状況リストの設定情報の例について説明する図である。
【図５】本発明の情報処理装置の一実施例としての撮像装置において実行される記録メディア対応センサの有効化処理のシーケンスについて説明するフローチャートを示す図である。
【図６】本発明の情報処理装置の一実施例としての撮像装置において実行される記録メディア対応センサの有効化処理のシーケンスについて説明するフローチャートを示す図である。
【図７】本発明の情報処理装置の一実施例において実行される記録メディア対応センサの無効化処理シーケンスについて説明するフローチャートを示す図である。
【図８】記録メディア対応センサに関する情報を格納したメディアリストのデータ構成例について説明する図である。
【図９】本発明の情報処理装置の一実施例において実行される記録メディア対応センサの有効化処理シーケンスについて説明するフローチャートを示す図である。
【図１０】本発明の一実施例に係る情報処理装置のシステム構成について説明する図である。
【図１１】本発明の情報処理装置の一実施例としてのデジタルビデオカメラの構成例について説明する図である。
【図１２】本発明の情報処理装置の一実施例としてのＰＣの構成例について説明する図である。
【符号の説明】
【００８５】
１０１  撮像部
１０２  音声入力部
１０３  信号処理部
１０４  制御部
１０５  操作部
１１１  ハードディスクドライブ（ＨＤＤ）
１１２  フラッシュメモリ
１２１，１２２，１２３，１３１  センサ
２０１  アプリケーション
２０２  ファイルシステム
２０３  デバイスドライバ
２０４  情報記録媒体
４０１  制御部（ＣＰＵ）
４０２  カメラ機能制御部
４１１  光学レンズ部
４１２  光電変換部
４１３  画像信号処理部
４１４  画像入出力部
４１５  液晶ディスプレイ
４１６  音声入出力部
４１７  音声処理部
４１８  内蔵メモリ（ＲＡＭ）
４１９  内蔵メモリ（ＲＯＭ）
４２０  操作入力部
４３１  通信部
４３２  ドライブ
４４１  電源
４５１  温度センサ
４５２  湿度センサ
４５３  加速度センサ
４５４  衝撃センサ
４５５  気圧（高度）センサ
５０１  ＣＰＵ(Central Processing Unit)
５０２  ＲＯＭ（Read-Only-Memory）
５０３  ＲＡＭ（Random Access Memory）
５０４  ホストバス
５０５  ブリッジ
５０６  外部バス
５０７  インタフェース
５０８  キーボード
５０９  ポインティングデバイス
５１０  ディスプレイ
５１４  接続ポート
５１５  通信部
５２２  外部接続機器
５３１  ＨＤＤ（Hard Disk Drive）
５３２  フラッシュメモリ
５４１，５４２  センサ
【図１】
2007184709.tif 000003
【図２】
2007184709.tif 000004
【図３】
2007184709.tif 000005
【図４】
2007184709.tif 000006
【図５】
2007184709.tif 000007
【図６】
2007184709.tif 000008
【図７】
2007184709.tif 000009
【図８】
2007184709.tif 000010
【図９】
2007184709.tif 000011
【図１０】
2007184709.tif 000012
【図１１】
2007184709.tif 000013
【図１２】
2007184709.tif 000014